(57)【要約】【課題】表示の停止状態からの復帰がホストからの制御コマンドにより行われるようになっている表示装置の表示駆動装置に対して、ＥＳＤにより生じた異常表示状態からホスト側に大きな負担をかけないで表示の自動復帰を行わせる表示制御装置を実現する。【解決手段】ホストから受信した制御コマンドに従って、制御コマンドに関連してバスを介して受信した表示データを用いた表示駆動を行う表示駆動装置に対し、リセットによる表示の停止状態時（Ｓ２〜Ｓ６）に停止状態開始時（Ｓ２）から一定時間内にバスに表示データが流れていることを検出すると、表示駆動装置による制御コマンドの受信の有無に関わらず、表示駆動装置に通常表示の駆動を行う状態（Ｓ７）に移行させる一方、一定時間が経過した後は、表示駆動装置が制御コマンドを受信しない限り、表示駆動装置に停止状態（Ｓ６）の表示の駆動を行うことを継続させる。【選択図】図１
2009134185.tif 000002
【特許請求の範囲】
【請求項１】
ホストから受信した制御コマンドに従って、前記制御コマンドに関連してバスを介して受信した表示データを用いた表示駆動を行う表示駆動装置に対し、リセットによる表示の停止状態時に前記停止状態開始時から一定時間内に前記バスに前記表示データが流れていることを検出すると、前記表示駆動装置による前記制御コマンドの受信の有無に関わらず、前記表示駆動装置に通常表示の駆動を行う状態に移行させる信号を出力する一方、前記一定時間が経過した後は、前記表示駆動装置が前記制御コマンドを受信しない限り、前記表示駆動装置に前記停止状態の表示の駆動を行うことを継続させる信号を出力することを特徴とする表示制御装置。
【請求項２】
ホストから受信した制御コマンドに従って、前記制御コマンドに関連してバスを介して受信した表示データを用いた表示駆動を行う表示駆動装置に対して動作の制御を行う表示制御装置であって、
リセットによる表示の停止状態時に前記停止状態開始時から時間をカウントするタイマと、前記タイマのカウント出力が一定時間に達しているか否かの比較を行う比較手段と、前記バスに前記表示データが流れているか否かを検出する検出手段とを備え、
前記検出手段は、前記比較手段による前記カウント出力が一定時間に達していないことを示す結果が入力されているときに、前記バスに前記表示データが流れていることを検出すると、前記表示駆動装置に通常表示の駆動を行う状態に移行させる信号を出力する一方、前記比較手段による前記カウント出力が一定時間に達していることを示す結果が入力されているときに、前記バスに前記表示データが流れていることを検出すると、前記表示駆動装置が前記制御コマンドを受信しない限り、前記表示駆動装置に前記停止状態の表示の駆動を行うことを継続させる信号を出力することを特徴とする表示制御装置。
【請求項３】
ホストから受信した制御コマンドに従って、前記制御コマンドに関連して内部のメモリに書き込まれた表示データを用いた表示駆動を行う表示駆動装置に対し、リセットによる表示の停止状態時に前記停止状態開始時から一定時間内に前記メモリに前記表示データが書き込まれていることを検出すると、前記表示駆動装置による前記制御コマンドの受信の有無に関わらず、前記表示駆動装置に通常表示の駆動を行う状態に移行させる信号を出力する一方、前記一定時間が経過した後は、前記表示駆動装置が前記制御コマンドを受信しない限り、前記表示駆動装置に前記停止状態の表示の駆動を行うことを継続させる信号を出力することを特徴とする表示制御装置。
【請求項４】
ホストから受信した制御コマンドに従って、前記制御コマンドに関連して内部のメモリに書き込まれた表示データを用いた表示駆動を行う表示駆動装置に対して動作の制御を行う表示制御装置であって、
リセットによる表示の停止状態時に前記停止状態開始時から時間をカウントするタイマと、前記タイマのカウント出力が一定時間に達しているか否かの比較を行う比較手段と、前記メモリに前記表示データが書き込まれているか否かを検出する検出手段とを備え、
前記検出手段は、前記比較手段による前記カウント出力が一定時間に達していないことを示す結果が入力されているときに、前記メモリに前記表示データが書き込まれていることを検出すると、前記表示駆動装置に通常表示の駆動を行う状態に移行させる信号を出力する一方、前記比較手段による前記カウント出力が一定時間に達していることを示す結果が入力されているときに、前記メモリに前記表示データが書き込まれていることを検出すると、前記表示駆動装置が前記制御コマンドを受信しない限り、前記表示駆動装置に前記停止状態の表示の駆動を行うことを継続させる信号を出力することを特徴とする表示制御装置。
【請求項５】
前記バスはＭＩＰＩインタフェースのバスであることを特徴とする請求項１または２に記載の表示制御装置。
【請求項６】
前記バスは、前記表示データとしてのデジタルＲＧＢ信号をパラレル伝送するバスであることを特徴とする請求項１または２に記載の表示制御装置。
【請求項７】
前記バスはＭＤＤＩインタフェースのバスであることを特徴とする請求項３または４に記載の表示制御装置。
【請求項８】
請求項１から７までのいずれか１項に記載の表示制御装置を備えていることを特徴とする表示装置。
【発明の詳細な説明】
【技術分野】
【０００１】
本発明は、表示装置における表示の復帰機能に関するものである。
【背景技術】
【０００２】
液晶表示装置における表示データの伝送のインタフェースは、信号線数の多いパラレル伝送方式のデジタルＲＧＢ方式から、信号線数の少ない高速シリアル伝送方式へと移行しつつある。特に、携帯電話などのモバイル機器では、配線数を減少させて、配線の設置スペースの省略および配線の断線防止を図る目的があるために、シリアル伝送方式は重要な技術となっている。また、差動伝送を行うことで、高速および低消費電力の伝送が達成できる。このようなシリアル伝送では表示データと制御コマンドとは同一バス上を伝送されることとなる。
【０００３】
例えば、モバイル機器のアプリケーションプロセッサと周辺装置とのインタフェースに関して共通仕様を定めたＭＩＰＩ(Mobile Industry Processor Interface)スタンダードなどでは、アプリケーションプロセッサをホスト側として周辺装置の動作を制御する。制御信号を用いる表示駆動装置では、通常表示動作の開始をコマンド制御による指定で行うようになっており、電源起動後にホスト側より表示駆動装置に起動コマンドが送られると、これに沿って画面の表示が開始される。
【特許文献１】特開平５−１５８５９８号公報（１９９３年６月２５日公開）
【発明の開示】
【発明が解決しようとする課題】
【０００４】
一方、電子機器にはＥＳＤ(Electro Static Discharge：静電破壊)による誤動作が起こり得るが、ＥＳＤにより前記の表示駆動装置にリセットが発生した場合には、表示はオフ状態となってしまう。表示の開始にはコマンドが必要であるので、ホスト側が表示装置にリセットが発生したことを検出しない限り、表示は復帰しないこととなる。
【０００５】
このことを、ＭＩＰＩ仕様の表示装置について、図８を用いて説明する。
【０００６】
図８に、ＭＩＰＩ仕様の表示装置におけるパワー制御のシーケンス例を示す。
【０００７】
ＭＩＰＩスタンダードでは、Ｓ１０１で示す電源ＯＮやハードウェア（ＨＷ）／ソフトウェア（ＳＷ）リセットなどの、リセットが発生した後は、装置がＳ１０２で示すスリープモードに移行する(enter sleep mode)ことが規定されている。そして、このスリープモードから、Ｓ１０３で示す通常の表示状態、つまりスリープモードオフに移行する(exit sleep mode)にはホスト側から表示駆動装置にexit_sleep_modeコマンドが送信される必要がある。
【０００８】
この規定に完全に従った場合には、ＥＳＤの事象によってリセットが発生すると、電源ＯＮシーケンスのステートに移行した後、スリープモードＯＮ状態が保持され、ディスプレイ上の画面表示は行われない状態となる。つまり、ユーザーから見れば異常表示状態が発生したと認識されることとなる。
【０００９】
これを回避する手段として、ホスト側で周期的に、表示停止状態から抜ける指示を行うコマンドを発生する手法や、周期的に表示装置の状態を読み出して、動作が停止していると判断すると初期化コマンドを発生するといった、ホスト側のソフトウェアに通常の処理とは関係のない負担をかける方法が一般的である。しかしながら、このようなソフトウェアによる手法はホスト側の負担が大きく、望ましい手法ではない。
【００１０】
このように、従来は、表示の停止状態からの復帰がホストからの制御コマンドにより行われるようになっている表示装置の表示駆動装置に対して、ＥＳＤにより生じた異常表示状態からホスト側に大きな負担をかけないで表示の自動復帰を行わせることができないという問題があった。
【００１１】
本発明は、上記従来の問題点に鑑みなされたものであり、その目的は、表示の停止状態からの復帰がホストからの制御コマンドにより行われるようになっている表示装置の表示駆動装置に対して、ＥＳＤにより生じた異常表示状態からホスト側に大きな負担をかけないで表示の自動復帰を行わせることができる表示制御装置および表示装置を実現することにある。
【課題を解決するための手段】
【００１２】
本発明の表示制御装置は、上記課題を解決するために、ホストから受信した制御コマンドに従って、前記制御コマンドに関連してバスを介して受信した表示データを用いた表示駆動を行う表示駆動装置に対し、リセットによる表示の停止状態時に前記停止状態開始時から一定時間内に前記バスに前記表示データが流れていることを検出すると、前記表示駆動装置による前記制御コマンドの受信の有無に関わらず、前記表示駆動装置に通常表示の駆動を行う状態に移行させる信号を出力する一方、前記一定時間が経過した後は、前記表示駆動装置が前記制御コマンドを受信しない限り、前記表示駆動装置に前記停止状態の表示の駆動を行うことを継続させる信号を出力することを特徴としている。
【００１３】
上記の発明によれば、リセットにより表示が停止状態になった場合に、一定時間内にバスに表示データが流れていることを検出すると、ＥＳＤによる異常表示状態であると判定して、ホストからの制御コマンドの有無に関わらず通常の表示状態に復帰させることができ、一定時間が経過した後は、バスに表示データが流れていてもホストから制御コマンドを受信しない限り、通常の表示状態に復帰させないので、すぐに表示が立ち上がると問題が生じる場合の表示復帰を避けることとなる。また、この表示制御装置はロジックなどのハードウェアで構成することができるので、ホストに負担のかかるソフトウェア処理を行わせる必要がない。
【００１４】
以上により、表示の停止状態からの復帰がホストからの制御コマンドにより行われるようになっている表示装置の表示駆動装置に対して、ＥＳＤにより生じた異常表示状態からホスト側に大きな負担をかけないで表示の自動復帰を行わせることができる表示制御装置を実現することができるという効果を奏する。
【００１５】
本発明の表示制御装置は、上記課題を解決するために、ホストから受信した制御コマンドに従って、前記制御コマンドに関連してバスを介して受信した表示データを用いた表示駆動を行う表示駆動装置に対して動作の制御を行う表示制御装置であって、リセットによる表示の停止状態時に前記停止状態開始時から時間をカウントするタイマと、前記タイマのカウント出力が一定時間に達しているか否かの比較を行う比較手段と、前記バスに前記表示データが流れているか否かを検出する検出手段とを備え、前記検出手段は、前記比較手段による前記カウント出力が一定時間に達していないことを示す結果が入力されているときに、前記バスに前記表示データが流れていることを検出すると、前記表示駆動装置に通常表示の駆動を行う状態に移行させる信号を出力する一方、前記比較手段による前記カウント出力が一定時間に達していることを示す結果が入力されているときに、前記バスに前記表示データが流れていることを検出すると、前記表示駆動装置が前記制御コマンドを受信しない限り、前記表示駆動装置に前記停止状態の表示の駆動を行うことを継続させる信号を出力することを特徴としている。
【００１６】
上記の発明によれば、リセットにより表示が停止状態になった場合に、一定時間内にバスに表示データが流れていることを検出すると、ＥＳＤによる異常表示状態であると判定して、ホストからの制御コマンドの有無に関わらず通常の表示状態に復帰させることができ、一定時間が経過した後は、バスに表示データが流れていてもホストから制御コマンドを受信しない限り、通常の表示状態に復帰させないので、すぐに表示が立ち上がると問題が生じる場合の表示復帰を避けることとなる。また、この表示制御装置はロジックなどのハードウェアで構成することができるので、ホストに負担のかかるソフトウェア処理を行わせる必要がない。
【００１７】
以上により、表示の停止状態からの復帰がホストからの制御コマンドにより行われるようになっている表示装置の表示駆動装置に対して、ＥＳＤにより生じた異常表示状態からホスト側に大きな負担をかけないで表示の自動復帰を行わせることができる表示制御装置を実現することができるという効果を奏する。
【００１８】
本発明の表示制御装置は、上記課題を解決するために、ホストから受信した制御コマンドに従って、前記制御コマンドに関連して内部のメモリに書き込まれた表示データを用いた表示駆動を行う表示駆動装置に対し、リセットによる表示の停止状態時に前記停止状態開始時から一定時間内に前記メモリに前記表示データが書き込まれていることを検出すると、前記表示駆動装置による前記制御コマンドの受信の有無に関わらず、前記表示駆動装置に通常表示の駆動を行う状態に移行させる信号を出力する一方、前記一定時間が経過した後は、前記表示駆動装置が前記制御コマンドを受信しない限り、前記表示駆動装置に前記停止状態の表示の駆動を行うことを継続させる信号を出力することを特徴としている。
【００１９】
上記の発明によれば、リセットにより表示が停止状態になった場合に、一定時間内にメモリに表示データが書き込まれていることを検出すると、ＥＳＤによる異常表示状態であると判定して、ホストからの制御コマンドの有無に関わらず通常の表示状態に復帰させることができ、一定時間が経過した後は、メモリに表示データが書き込まれていてもホストから制御コマンドを受信しない限り、通常の表示状態に復帰させないので、すぐに表示が立ち上がると問題が生じる場合の表示復帰を避けることとなる。また、この表示制御装置はロジックなどのハードウェアで構成することができるので、ホストに負担のかかるソフトウェア処理を行わせる必要がない。
【００２０】
以上により、表示の停止状態からの復帰がホストからの制御コマンドにより行われるようになっている表示装置の表示駆動装置に対して、ＥＳＤにより生じた異常表示状態からホスト側に大きな負担をかけないで表示の自動復帰を行わせることができる表示制御装置を実現することができるという効果を奏する。
【００２１】
本発明の表示制御装置は、上記課題を解決するために、ホストから受信した制御コマンドに従って、前記制御コマンドに関連して内部のメモリに書き込まれた表示データを用いた表示駆動を行う表示駆動装置に対して動作の制御を行う表示制御装置であって、リセットによる表示の停止状態時に前記停止状態開始時から時間をカウントするタイマと、前記タイマのカウント出力が一定時間に達しているか否かの比較を行う比較手段と、前記メモリに前記表示データが書き込まれているか否かを検出する検出手段とを備え、前記検出手段は、前記比較手段による前記カウント出力が一定時間に達していないことを示す結果が入力されているときに、前記メモリに前記表示データが書き込まれていることを検出すると、前記表示駆動装置に通常表示の駆動を行う状態に移行させる信号を出力する一方、前記比較手段による前記カウント出力が一定時間に達していることを示す結果が入力されているときに、前記メモリに前記表示データが書き込まれていることを検出すると、前記表示駆動装置が前記制御コマンドを受信しない限り、前記表示駆動装置に前記停止状態の表示の駆動を行うことを継続させる信号を出力することを特徴としている。
【００２２】
上記の発明によれば、表示が停止状態になった場合に、一定時間内にメモリに表示データが書き込まれていることを検出すると、ＥＳＤによる異常表示状態であると判定して、ホストからの制御コマンドの有無に関わらず通常の表示状態に復帰させることができ、一定時間が経過した後は、メモリに表示データが書き込まれていてもホストから制御コマンドを受信しない限り、通常の表示状態に復帰させないので、すぐに表示が立ち上がると問題が生じる場合の表示復帰を避けることとなる。また、この表示制御装置はロジックなどのハードウェアで構成することができるので、ホストに負担のかかるソフトウェア処理を行わせる必要がない。
【００２３】
以上により、表示の停止状態からの復帰がホストからの制御コマンドにより行われるようになっている表示装置の表示駆動装置に対して、ＥＳＤにより生じた異常表示状態からホスト側に大きな負担をかけないで表示の自動復帰を行わせることができる表示制御装置を実現することができるという効果を奏する。
【００２４】
本発明の表示制御装置は、上記課題を解決するために、前記バスはＭＩＰＩインタフェースのバスであることを特徴としている。
【００２５】
上記の発明によれば、ＭＩＰＩ仕様の装置においてスリープモードへの移行に対するその後の処理を適切に選択することができるという効果を奏する。
【００２６】
本発明の表示制御装置は、上記課題を解決するために、前記バスは、前記表示データとしてのデジタルＲＧＢ信号をパラレル伝送するバスであることを特徴としている。
【００２７】
上記の発明によれば、デジタルＲＧＢをパラレル伝送する仕様の装置において表示の停止状態への移行に対するその後の処理を適切に選択することができるという効果を奏する。
【００２８】
本発明の表示制御装置は、上記課題を解決するために、前記バスはＭＤＤＩインタフェースのバスであることを特徴としている。
【００２９】
上記の発明によれば、ＭＤＤＩ仕様の装置において表示の停止状態への移行に対するその後の処理を適切に選択することができるという効果を奏する。
【００３０】
本発明の表示装置は、上記課題を解決するために、前記表示制御装置を備えていることを特徴としている。
【００３１】
上記の発明によれば、表示の停止状態からの復帰がホストからの制御コマンドにより行われるようになっている表示装置であって、ＥＳＤにより生じた異常表示状態からホスト側に大きな負担をかけないで表示の自動復帰を行わせることができる表示装置を実現することができるという効果を奏する。
【発明の効果】
【００３２】
本発明の表示制御装置は、以上のように、ホストから受信した制御コマンドに従って、前記制御コマンドに関連してバスを介して受信した表示データを用いた表示駆動を行う表示駆動装置に対し、リセットによる表示の停止状態時に前記停止状態開始時から一定時間内に前記バスに前記表示データが流れていることを検出すると、前記表示駆動装置による前記制御コマンドの受信の有無に関わらず、前記表示駆動装置に通常表示の駆動を行う状態に移行させる信号を出力する一方、前記一定時間が経過した後は、前記表示駆動装置が前記制御コマンドを受信しない限り、前記表示駆動装置に前記停止状態の表示の駆動を行うことを継続させる信号を出力する。
【００３３】
また、本発明の表示制御装置は、以上のように、ホストから受信した制御コマンドに従って、前記制御コマンドに関連して内部のメモリに書き込まれた表示データを用いた表示駆動を行う表示駆動装置に対し、リセットによる表示の停止状態時に前記停止状態開始時から一定時間内に前記メモリに前記表示データが書き込まれていることを検出すると、前記表示駆動装置による前記制御コマンドの受信の有無に関わらず、前記表示駆動装置に通常表示の駆動を行う状態に移行させる信号を出力する一方、前記一定時間が経過した後は、前記表示駆動装置が前記制御コマンドを受信しない限り、前記表示駆動装置に前記停止状態の表示の駆動を行うことを継続させる信号を出力する。
【００３４】
以上により、表示の停止状態からの復帰がホストからの制御コマンドにより行われるようになっている表示装置の表示駆動装置に対して、ＥＳＤにより生じた異常表示状態からホスト側に大きな負担をかけないで表示の自動復帰を行わせることができる表示制御装置を実現することができるという効果を奏する。
【発明を実施するための最良の形態】
【００３５】
本発明の一実施形態について図１ないし図７に基づいて説明すると以下の通りである。
【００３６】
図６に、本実施形態に係る液晶表示装置（表示装置）１の構成を示す。
【００３７】
液晶表示装置１は携帯電話の形態をなしており、表示部２、液晶ドライバ３、アンテナ４、ＲＦ回路５、ベースバンドプロセッサ６、アプリケーションプロセッサ７、および、表示制御回路８を備えている。表示制御回路８は、ここでは液晶ドライバ３の中に組み込まれているが、液晶ドライバ３の外部に設けられていてもよい。
【００３８】
表示部２は画素ＰＩＸがマトリクス状に配置されたものである。画素ＰＩＸは選択素子であるＴＦＴ１１、液晶容量ＣＬ、および、補助容量Ｃｓを備えている。対向電極には対向電圧Ｖｃｏｍが、また、補助容量配線には補助容量電圧Ｖｃｓが、それぞれ印加される。画素ＰＩＸにはソースバスラインＳＬ１〜ＳＬｎを介してデータ信号が書き込まれる。ソースバスラインＳＬ１〜ＳＬｎは液晶ドライバ３からデータ信号を供給される。また、画素ＰＩＸにデータ信号を書き込むために、複数の画素ＰＩＸからなる各行を選択する走査信号が、液晶ドライバ３からゲートバスラインＧＬ１〜ＧＬｎに順次供給される。
【００３９】
液晶ドライバ（表示駆動装置、表示制御装置）３は、１チップまたは複数チップからなる、表示部２の表示を駆動する回路であり、タイミングジェネレータや、ソースドライバ、ゲートドライバ、電源回路、メモリといった表示動作に関する各回路部を含んでいる。また、液晶ドライバ３は、ここではアプリケーションプロセッサ７をホストとして制御されるようになっており、そのインタフェースも内部に含んでいる。後述の実施例によっては、液晶ドライバ３はベースバンドプロセッサ６を含むベースバンドＬＳＩをホストとして制御されることも可能である。
【００４０】
アンテナ４は携帯電話の送受信用のアンテナである。ＲＦ回路５は、送受信に伴う高周波信号を処理する。ベースバンドプロセッサ６はＲＦ回路５で復調されたベースバンド信号を処理し、図示しない通話信号処理回路やデータ通信処理回路の動作を制御する。アプリケーションプロセッサ７は、前記液晶ドライバ３や、図示しない動画・音楽・ゲームなどの処理を行う周辺装置を制御する。
【００４１】
表示制御回路８はＩＣまたはＩＣの一部として構成され、アプリケーションプロセッサ７と液晶ドライバ３との間を結ぶバスI/F BUSにビデオストリームが存在するか否か、すなわち、表示データが流れているか否かを監視して、表示データの有無により液晶ドライバ３に出力する制御信号ＡＰＳの内容を変更する。この処理の詳細については後述する。なお、ここでは表示制御回路８が液晶ドライバ３内に組み込まれているため、液晶ドライバ３を表示駆動装置として扱うと同時に本発明の表示制御装置としても扱うが、表示制御回路８が単独でＩＣを構成していてもいなくても、表示制御回路８のみで前記表示制御装置として扱うことは可能である。
【００４２】
表示制御回路８の動作としては、図７に示すものがまず考えられる。
【００４３】
Ｓ２０１で示す電源ＯＮやハードウェア（ＨＷ）／ソフトウェア（ＳＷ）リセットなどの、リセットが発生した後は、液晶ドライバ３による表示駆動がＳ２０２で示すスリープモード、すなわち表示の停止状態に移行する(enter sleep mode)。また、ホストであるアプリケーションプロセッサ７から液晶ドライバ３にexit_sleep_modeコマンドが送信されると、液晶ドライバ３の駆動は、スリープモードから、Ｓ２０３で示すスリープモードオフ、すなわち通常の表示状態に移行する(exit sleep mode)。ここまでは、図８で説明した動作と同じであり、アプリケーションプロセッサ７と液晶ドライバ３との間だけで決まる動作である。そして、Ｓ２０２において表示制御回路８がバスI/F BUSにビデオストリームが存在していることを検出すると、表示制御回路８は液晶ドライバ３に自動電源ＯＮシーケンスを行わせる内容の制御信号ＡＰＳを出力して、液晶ドライバ３の表示駆動はスリープモードオフに移行する。
【００４４】
この方式に従うと、正規の電源オン時はもちろんのこと、ＥＳＤにより、液晶ドライバ３に異常リセットが発生して表示が停止状態になっても、表示制御回路８がバスI/F BUS上のビデオストリームを検出することにより、液晶ドライバ３は起動する。従って、表示部２の表示は一瞬消えたとしてもすぐに復帰し、ユーザーが異常と認識することを抑えることができることとなる。
【００４５】
しかしながら、このビデオストリーム検出での立ち上がりを無制限に許容すると、アプリケーションプロセッサ７やベースバンドプロセッサ６などのホストと液晶ドライバ３などの周辺装置とのインタフェース規格からの逸脱を招くばかりでなく、ビデオストリームが存在するだけで表示が立ち上がるという弊害を生じることとなる。
【００４６】
このような弊害を生じる例を以下に列挙する。
【００４７】
表示データは、例えば一般的に、バスの仕様にもよるが、複数の表示デバイスに共通のバスを流れている場合がある。このような場合には、図７の動作を行うことにより、他の表示デバイスへのビデオストリームに反応して、総ての表示デバイスが表示の停止状態から起動してしまうことが考えられる。
【００４８】
また、送受信デバイス間が一対一の接続であっても、どのタイミングで表示データの送出を始めるかはホスト側に依存しており、本来の表示装置の立ち上げよりも以前から、表示データが流れ出すと本来の表示開始以前に表示が行われ、不要な画面が現れるといった状態や、電源ＯＮのシーケンス途中にビデオストリーム検出による自動起動が発生し、コマンドによる起動処理と交錯することで、レジスタ設定の組み合わせ状況が一時的に入れ替わるなどの状態が考えられ、表示装置が不正常な状態に陥る可能性がある。これは、避けなければならない事態である。
【００４９】
以上が、ビデオストリームが存在するだけで表示が立ち上がるという弊害を生じる例である。
【００５０】
しかし、このような弊害を生じる例では表示のリセット解除直後からビデオストリームが存在することはない一方、ＥＳＤに起因する異常表示状態の場合には表示のリセット解除直後からビデオストリームが存在しているので、表示のリセット解除直後から、ある制限された時間内に、バスにビデオストリームが存在するか否かによって、通常の表示状態に復帰させるべきかどうかを区別することが可能である。
【００５１】
そこで、本実施形態では、表示制御回路８を図２の構成とし、表示制御回路８を用いて図１の動作を行うことによって、ＥＳＤに起因する異常表示状態の場合にのみ、ホストからの制御コマンドが無くても自動的に通常の表示状態に復帰させるようにする。
【００５２】
図２に示すように、表示制御回路８はロジックなどのハードウェアのみで構成されており、発振回路８ａ、タイマ８ｂ、比較部（比較手段）８ｃ、Ｄフリップフロップ８ｄ、および、ビデオストリーム検出部（検出手段）８ｅを備えている。
【００５３】
Ｓ１で電源ＯＮやハードウェア（ＨＷ）/ソフトウェア（ＳＷ）リセットによって、表示のリセットが生じると、タイマ８ｂがリセット信号ＲＥＳＥＴによってリセットされる（Timer=0）とともに、Ｄフリップフロップ８ｄのＤ端子に入力される値を”Ｈ”とすることによりＤフリップフロップ８ｄの出力であるフラグＶＳＩＮＨを０とする。これにより、タイマ８ｂは発振回路８ａから出力されるクロックのカウントを開始する。そして、液晶ドライバ３はＳ２に示すスリープモード、すなわち表示の停止状態に移行する。
【００５４】
Ｓ３でビデオストリーム検出部８ｅはバスI/F BUSの値を取得し、当該バスI/F BUSにビデオストリームが存在するか否かを検出する。ビデオストリーム検出部８ｅにはＤフリップフロップ８ｄの出力ＶＳＩＮＨが入力されており、Ｓ３でビデオストリームが存在すれば、同時にフラグＶＳＩＮＨ＝０であることから、直ちにＳ７のスリープモードオフすなわち通常の表示状態へ移行する。このとき、ビデオストリーム検出部８ｅは制御信号ＡＰＳとして、自動電源ＯＮシーケンスを指示する内容の信号を出力して、液晶ドライバ３に入力する。液晶ドライバ３は、これに従って表示の通常動作を行う。自動電源ＯＮシーケンスは一般的に知られている技術であり、ここではその詳細を省略する。Ｓ３でビデオストリームが存在しない場合には、Ｓ４でタイマ８ｂのカウント出力が１つ増加するのを待つ。タイマ８ｂのカウント出力は、発振回路ＯＳＣからの出力を分周した結果を出力するなどすればよい。
【００５５】
Ｓ５で比較部８ｃはタイマ８ｂのカウント出力（Value）を上限値（limit）と比較し、カウント出力が上限値よりも小さければ０を出力し、カウント出力が上限値よりも大きければ１を出力する。比較部８ｃの出力はＤフリップフロップ８ｄのクロック入力端子に入力される。このとき、比較部８ｃが０を出力すればＤフリップフロップ８ｄはフラグＶＳＩＮＨ＝０を出力し続け、比較部８ｃが１を出力すればＤフリップフロップ８ｅはフラグＶＳＩＮＨ＝１を出力するようになる。Ｓ６では、Ｓ５でフラグＶＳＩＮＨ＝０であったならばＳ３へ戻り、Ｓ５でフラグＶＳＩＮＨ＝１となったならばそこでアプリケーションプロセッサ７から制御コマンドが送信されてくるのを待つ動作を行う。フラグＶＳＩＮＨ＝１の場合には、ビデオストリーム検出部８ｅが出力する制御信号ＡＰＳは、液晶ドライバ３をアプリケーションプロセッサ７からの制御コマンドの送信を待つ状態に保たせる内容の信号となる。
【００５６】
こうして、表示の停止状態開始時から、タイマのカウント出力が上限値に達するまでの時間である一定時間内はビデオストリームが存在するか否かの検出を行い、タイマのカウント出力が上限値に達した後である一定時間が経過した後はビデオストリームが存在するか否かの検出を行わない。上記一定時間内にビデオストリームが検出されれば、表示は通常状態に復帰する。上記一定時間が経過した後は、ビデオストリームの存在による自動電源ＯＮシーケンスの開始は禁止される。
【００５７】
なお、図１の例では、アプリケーションプロセッサ７からの制御コマンドの受信はＳ６のステートでのみチェックしているが、制御コマンドの受信はどのステートで行ってもよく、液晶ドライバ３は制御コマンドを受信したならば、現在のステート位置とは関係なくスリープモードオフに移行することが可能であることはいうまでもない。また、表示制御回路８を構成する図２のロジックはあくまでも概念的なものであり、実際にロジックを形成する場合には、同期化を図る構成などロジック動作に付随する構成を初めとする種々の回路が追加され得るのは当然である。
【００５８】
次に、図３〜図５に、ホストと液晶ドライバとのインタフェースの種類による、表示制御回路８と液晶ドライバ３との構成関係の違いを説明する。
【００５９】
図３に、前述の図６に示した液晶ドライバ３の構成例として、インタフェースにＭＩＰＩを採用した場合の構成を示す。表示制御回路８はＭＩＰＩインタフェース３１に含まれている。液晶ドライバ３内では、シリアル伝送のバスI/F BUSから制御コマンドおよび表示データをＭＩＰＩインタフェース３１で受信し、制御コマンドがレジスタ３２に書き込まれる。また、その受信タイミングに基づいてタイミングジェネレータ３５がタイミング信号を生成する。当該タイミング信号に基づいて、ＭＩＰＩインタフェース３１からシフトレジスタ３３、ソース駆動回路３４へと順に表示データが送られ、ソースバスラインＳＬにデータ信号が供給される。このとき、表示制御回路８は、バスI/F BUSからビデオストリームとしてビデオパケットを検出することができる。また、表示制御回路８は、制御信号ＡＰＳをタイミングジェネレータ３５に出力する。
【００６０】
図４に、制御インタフェースとしてシリアル通信のＳＰＩ(Serial Peripheral Interface)を用い、表示データとしてデジタルＲＧＢ信号をホストの制御によりパラレル伝送で供給する液晶ドライバ３１の構成を示す。この場合には、ベースバンドプロセッサを含むベースバンドＬＳＩと液晶ドライバ３１との間に設けられるバスが一般的な構成となるが、図３と同様にアプリケーションプロセッサをホストとしてもよい。液晶ドライバ３１内では、ＳＰＩバスからレジスタ３１１に制御コマンドが書き込まれ、この受信タイミングに基づいてタイミングジェネレータ３１４がタイミング信号を生成する。当該タイミング信号に基づいて、デジタルＲＧＢ信号がシフトレジスタ３１２、ソース駆動回路３１３へと順に送られ、ソースバスラインＳＬにデータ信号が供給される。このとき、表示制御回路８は、デジタルＲＧＢ信号のバスからデジタルＲＧＢのビデオストリームを、垂直同期タイミングや水平同期タイミングを検出することにより検出することができる。また、表示制御回路８は、制御信号ＡＰＳをタイミングジェネレータ３１４に出力する。
【００６１】
図５に、インタフェースにＭＤＤＩ(Mobile Display Digital Interface)を採用した場合の液晶ドライバ３２の構成を示す。この場合には、ベースバンドプロセッサを含むベースバンドＬＳＩと液晶ドライバ３１との間に設けられるバスが一般的な構成となるが、図３と同様にアプリケーションプロセッサをホストとしてもよい。表示制御回路８はＭＤＤＩインタフェース３２１に含まれている。液晶ドライバ３２内では、シリアル伝送のバスI/F BUSから制御コマンドをＭＤＤＩインタフェース３２１で受信し、制御コマンドがレジスタ３２２に書き込まれる。また、レジスタ３２２に書き込まれた制御コマンドに基づいてタイミングジェネレータ３２５がタイミング信号を生成する。当該タイミング信号により、表示用ＲＡＭ３２３に表示データが書き込まれる。表示用ＲＡＭ３２３の表示データはタイミングジェネレータ３２５のタイミング信号に基づいてソース駆動回路３２４に送られ、ソースバスラインＳＬにデータ信号が供給される。表示制御回路８は、タイミングジェネレータ３２５から表示用ＲＡＭ３２３に書き込まれる表示データをビデオストリームとして検出することができる。また、表示制御回路８は、制御信号ＡＰＳをタイミングジェネレータ３２５に出力する。
【００６２】
なお、図４および図５の場合には、図１および図２においてはスリープモードの代わりに表示の停止状態という表現を用いればよい。
【００６３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。例えばＥＬ表示装置にも適用可能である。
【産業上の利用可能性】
【００６４】
本発明は、携帯端末に特に好適に使用することができる。
【図面の簡単な説明】
【００６５】
【図１】本発明の実施形態を示すものであり、表示制御・駆動状態の状態を示す遷移図である。
【図２】本発明の実施形態を示すものであり、表示制御回路の構成を示す回路ブロック図である。
【図３】第１のインタフェースを用いる場合の液晶ドライバの構成を示すブロック図である。
【図４】第２のインタフェースを用いる場合の液晶ドライバの構成を示すブロック図である。
【図５】第３のインタフェースを用いる場合の液晶ドライバの構成を示すブロック図である。
【図６】本発明の実施形態を示すものであり、表示装置の構成を示すブロック図である。
【図７】その他の表示制御・駆動状態の状態を示す遷移図である。
【図８】従来技術を示すものであり、表示制御・駆動状態の状態を示す遷移図である。
【符号の説明】
【００６６】
１          液晶表示装置（表示装置）
３          液晶ドライバ（表示駆動装置、表示制御装置）
７          アプリケーションプロセッサ（ホスト）
８          表示制御回路（表示制御装置）
８ｃ        比較部（比較手段）
８ｅ        ビデオストリーム検出部（検出手段）
I/F BUS     バス
【図１】
2009134185.tif 000003
【図２】
2009134185.tif 000004
【図３】
2009134185.tif 000005
【図４】
2009134185.tif 000006
【図５】
2009134185.tif 000007
【図６】
2009134185.tif 000008
【図７】
2009134185.tif 000009
【図８】
2009134185.tif 000010